(57)【要約】【課題】  複数の利用者がカラオケシステムにログインしてカラオケを楽しむ場合に、各利用者が共通して楽しめる歌唱推奨楽曲を提示する。【解決手段】  各利用者が歌唱した楽曲の楽曲ＩＤと利用者ＩＤと紐付けした歌唱履歴データを記憶管理する歌唱履歴記憶管理手段２３０、各利用者が所有する携帯情報端末６０に記憶された楽曲データの楽曲ＩＤと当該利用者の利用者ＩＤとを紐付けした利用者毎の楽曲プレイリストを取得する楽曲プレイリスト取得手段２４０、取得した楽曲プレイリストを参照し、システムログインしたすべての利用者に共通する楽曲ＩＤを抽出する共通楽曲抽出手段２５０、各利用者の歌唱履歴データに含まれる楽曲ＩＤを参照して、抽出した楽曲ＩＤの中から、所定の条件に基づき、歌唱推奨楽曲を抽出する歌唱推奨楽曲抽出手段２６０、歌唱推奨楽曲の提示制御を行う歌唱推奨楽曲提示制御手段２７を備える。【選択図】図１
2015210343.tif 000002
【特許請求の範囲】
【請求項１】
複数の利用者が同時にカラオケを楽しむ場合に、各利用者が所持する携帯情報端末に記憶された楽曲のリストに基づいて、歌唱推奨楽曲を報知する歌唱推奨楽曲報知システムであって、
利用者がシステムログインした際に、当該利用者の利用者ＩＤを取得する利用者ＩＤ取得手段と、
前記各利用者により歌唱された楽曲の楽曲ＩＤと、当該利用者ＩＤとを紐付けした利用者毎の歌唱履歴データを記憶して管理する歌唱履歴記憶管理手段と、
前記各利用者が所有する携帯情報端末に記憶された楽曲データの楽曲ＩＤと当該利用者の利用者ＩＤとを紐付けし、利用者毎の楽曲プレイリストとして取得する楽曲プレイリスト取得手段と、
前記利用者毎の楽曲プレイリストを参照して、前記システムログインしたすべての利用者に共通する楽曲ＩＤを抽出する共通楽曲抽出手段と、
前記各利用者の歌唱履歴データに含まれる楽曲ＩＤを参照して、前記抽出した楽曲ＩＤの中から、所定の条件に基づき、歌唱推奨楽曲を抽出する歌唱推奨楽曲抽出手段と、
前記抽出した歌唱推奨楽曲の提示制御を行う歌唱推奨楽曲提示制御手段と、
を備えたことを特徴とする歌唱推奨楽曲報知システム。
【請求項２】
前記歌唱推奨楽曲抽出手段における所定の抽出条件は、前記各利用者の歌唱履歴データにおいて、歌唱頻度が所定値以上の楽曲とする、
ことを特徴とする請求項１に記載の歌唱推奨楽曲報知システム。
【請求項３】
前記歌唱推奨楽曲抽出手段における所定の抽出条件は、前記各利用者の歌唱履歴データにおいて、歌唱頻度が所定値未満の楽曲とする、
ことを特徴とする請求項１に記載の歌唱推奨楽曲報知システム。
【請求項４】
前記歌唱履歴記憶管理手段は、各利用者の指定に基づき、各利用者が歌唱を得意とする楽曲について、得意曲識別子を付加して歌唱履歴データを記憶することが可能であり、
前記歌唱推奨楽曲抽出手段における所定の抽出条件は、前記各利用者の歌唱履歴データにおいて、得意曲識別子が付加された楽曲とする、
ことを特徴とする請求項１に記載の歌唱推奨楽曲報知システム。
【請求項５】
前記歌唱推奨曲提示手段は、複数の利用者がシステムログインしてから所定時間経過後に歌唱推奨楽曲を提示する、
ことを特徴とする請求項１〜４のいずれか１項に記載の歌唱推奨楽曲報知システム。
【発明の詳細な説明】
【技術分野】
【０００１】
本発明は歌唱推奨楽曲報知システムに関するものであり、詳しくは、複数の利用者が同時にカラオケを楽しむ場合に、各利用者が所持する携帯情報端末に記憶された楽曲のリストに基づいて、歌唱推奨楽曲を報知するようにしたシステムに関するものである。
【背景技術】
【０００２】
現在普及しているスマートフォン等の携帯情報端末は、好みの楽曲をダウンロードして記憶し、音楽再生アプリケーションソフトを用いて再生することができるようになっている。利用者により携帯情報端末にダウンロードされた楽曲は、当該利用者にとって好みの楽曲や慣れ親しんだ楽曲であり、カラオケを楽しむ際に、このような楽曲を歌唱したいという願望がある。
【０００３】
しかし、カラオケ店舗では、楽曲検索用のリモコン装置等を用いて、好みの楽曲や慣れ親しんだ楽曲を検索して予約を行わなければならず、選曲予約操作が面倒であるという問題があった。このような問題に対応するため、従来より種々の技術が開発されている（特許文献１、特許文献２、特許文献３、特許文献４参照）。
【０００４】
特許文献１に記載された技術は、利用者が携帯用音楽プレイヤーで常に聴いている楽曲を、カラオケ演奏装置の予約曲として設定するようにしたものである。このカラオケ演奏装置は、携帯用音楽プレイヤーの再生曲リストからリクエスト曲リストを作成し、カラオケ演奏装置に記憶されたカラオケ曲リストと曲目ＩＤを照合する。一致する曲目ＩＤを抽出して予約曲リストを作成し、再生曲リストの再生回数に応じて予約曲リストの曲順を並べ替える。これにより、ユーザが気に入っている曲か、カラオケで歌いたいと思って良く聞いていた曲等を、最初に歌える曲として予約することができるとしている。
【０００５】
特許文献２に記載された技術は、得意曲（いわゆる十八番曲）として登録された演奏曲を歌い忘れないようにしたものである。この通信カラオケシステムは、音楽情報の管理を行う音楽情報管理システムから、利用者毎にその音楽情報の利用に関する情報を取得する利用情報取得手段と、歌唱を行う利用者に対応して利用情報取得手段により取得した情報に基づいて、その利用者の得意曲として登録されたカラオケ情報のうちから、選曲予約されていない曲を歌い忘れ曲として検出する歌い忘れ曲検出手段と、歌い忘れ曲検出手段により検出した歌い忘れ曲を提示する歌い忘れ曲提示手段とを備えている。
【０００６】
特許文献３に記載された技術は、カラオケ店舗で同室した複数の利用者が、歌唱を共通に楽しむことができるようにしたものである。この技術は、カラオケ演奏装置で演奏されるカラオケ曲の候補として、複数のカラオケ曲リストに共通して含まれるカラオケ曲の情報と、複数のカラオケ曲リストに共通して含まれないカラオケ曲の情報とを区分して、利用者が選択できるように表示部に表示させるものである。
【０００７】
特許文献４に記載された技術は、携帯用音楽プレイヤー等に記憶された楽曲の楽曲情報に基づいて、カラオケ演奏装置により演奏可能なカラオケ曲の演奏予約候補を利用者に提示するためのものである。この技術は、サーバ装置が情報処理装置から受信した楽曲情報に基づき抽出したカラオケ曲のカラオケ曲リストと、情報処理装置から取得されたユーザ識別情報とを対応付けて保管する。そして、サーバ装置は、カラオケ演奏装置、選曲装置、情報処理装置のいずれかから、カラオケ曲リストの取得要求と、取得要求元からユーザ識別情報とを受信した場合に、ユーザ識別情報と対応付けられたカラオケ曲リストを、カラオケ演奏装置、選曲装置、情報処理装置のいずれかへ送信する。
【先行技術文献】
【特許文献】
【０００８】
【特許文献１】特開２００９−２０４９３６号公報
【特許文献２】特開２０１２−７３５４０号公報
【特許文献３】特開２０１３−７３１０２号公報
【特許文献４】特開２０１３−１１４１４８号公報
【発明の概要】
【発明が解決しようとする課題】
【０００９】
しかしながら、携帯情報端末で楽曲データのダウンロードを行ったり、携帯情報端末に記憶した楽曲データを音楽再生用のアプリケーションソフトを用いて再生したりする技術が一般的となっている現在では、カラオケ設備の利用に際して、好みのアーティストが共通しており、さらに視聴している楽曲が共通する利用者同士で、カラオケを楽しむ場合がある。このような状況に対応するため、複数のカラオケ利用者の好みに共通する楽曲を容易に選曲するシステムの開発が望まれていた。
【００１０】
しかし、上述した特許文献１及び特許文献２に記載された技術は、一人の利用者が所有する携帯情報端末に記憶された楽曲データに基づいて予約リストを作成するものであり、複数の利用者の好みに共通した楽曲を容易に選曲できるものではない。
【００１１】
また、上述した特許文献３及び特許文献４に記載された技術は、複数の利用者がそれぞれ所有する携帯情報端末に記憶された楽曲データに基づいて楽曲予約リストを作成するものである。しかし、ここで作成される楽曲予約リストは、単純に複数の利用者に共通する楽曲や、一部共通する楽曲をリスト化して表示するものである。すなわち、利用者の所有する携帯情報端末に楽曲データが記憶されていれば、当該楽曲を頻繁に歌唱していない場合であっても、予約候補曲としてリスト化して表示されてしまうことがある。
【００１２】
本発明は、上述した事情に鑑み提案されたもので、複数の利用者がカラオケシステムにログインしてカラオケを楽しむ場合に、各利用者が所有する携帯情報端末に記憶されている楽曲再生リストと、各利用者の歌唱履歴や登録された楽曲情報を用いて、すべての利用者に共通する楽曲を抽出して報知することが可能な歌唱推奨楽曲報知システムを提供することを目的とする。
【課題を解決するための手段】
【００１３】
本発明の歌唱推奨楽曲報知システムは、上述した事情に鑑み提案されたもので、以下の特徴点を有している。すなわち、本発明の歌唱推奨楽曲報知システムは、複数の利用者が同時にカラオケを楽しむ場合に、各利用者が所持する携帯情報端末に記憶された楽曲のリストに基づいて、歌唱推奨楽曲を報知する歌唱推奨楽曲報知システムであって、利用者ＩＤ取得手段と、歌唱履歴記憶管理手段と、楽曲プレイリスト取得手段と、共通楽曲抽出手段と、歌唱推奨楽曲抽出手段と、歌唱推奨楽曲提示制御手段とを備えたことを特徴とするものである。
【００１４】
利用者ＩＤ取得手段は、利用者がシステムログインした際に、当該利用者の利用者ＩＤを取得するための手段である。歌唱履歴記憶管理手段は、各利用者により歌唱された楽曲の楽曲ＩＤと、当該利用者ＩＤとを紐付けした利用者毎の歌唱履歴データを記憶して管理するための手段である。
【００１５】
楽曲プレイリスト取得手段は、各利用者が所有する携帯情報端末に記憶された楽曲データの楽曲ＩＤと当該利用者の利用者ＩＤとを紐付けし、利用者毎の楽曲プレイリストとして取得するための手段である。共通楽曲抽出手段は、利用者毎の楽曲プレイリストを参照して、システムログインしたすべての利用者に共通する楽曲ＩＤを抽出するための手段である。
【００１６】
歌唱推奨楽曲抽出手段は、各利用者の歌唱履歴データに含まれる楽曲ＩＤを参照して、抽出した楽曲ＩＤの中から、所定の条件に基づき、歌唱推奨楽曲を抽出するための手段である。歌唱推奨楽曲提示制御手段は、抽出した歌唱推奨楽曲の提示制御を行うための手段である。
【００１７】
また、本発明の歌唱推奨楽曲報知システムは、上述した構成において、歌唱推奨楽曲抽出手段における所定の抽出条件は、各利用者の歌唱履歴データにおいて、歌唱頻度が所定値以上の楽曲とすることが可能である。
【００１８】
また、本発明の歌唱推奨楽曲報知システムは、上述した構成において、歌唱推奨楽曲抽出手段における所定の抽出条件は、各利用者の歌唱履歴データにおいて、歌唱頻度が所定値未満の楽曲とすることが可能である。
【００１９】
また、本発明の歌唱推奨楽曲報知システムは、上述した構成において、歌唱履歴記憶管理手段は、各利用者の指定に基づき、各利用者が歌唱を得意とする楽曲について、得意曲識別子を付加して歌唱履歴データを記憶することが可能であり、歌唱推奨楽曲抽出手段における所定の抽出条件は、各利用者の歌唱履歴データにおいて、得意曲識別子が付加された楽曲とすることが可能である。
【００２０】
また、本発明の歌唱推奨楽曲報知システムは、上述した構成において、歌唱推奨曲提示手段は、複数の利用者がシステムログインしてから所定時間経過後に歌唱推奨楽曲を提示することが可能である。
【発明の効果】
【００２１】
本発明の歌唱推奨楽曲報知システムでは、複数の利用者が同時にカラオケを楽しむ場合に、各利用者がそれぞれ携帯情報端末にダウンロードして視聴している楽曲の中から共通する楽曲を抽出し、さらに、各利用者の歌唱履歴に基づく所定の条件に従って歌唱推奨楽曲を抽出して提示するようになっている。
【００２２】
したがって、各利用者が共通して視聴している楽曲であって、かつ各利用者の歌唱履歴において共通点を有する楽曲を歌唱推奨楽曲として提示するので、好みのアーティストやジャンル等が同じ利用者同士がカラオケボックスでカラオケを楽しむ時に、各利用者が好んで携帯情報端末にて聴いている楽曲であり、カラオケ演奏装置にておいても頻繁に歌唱している共通楽曲を報知ことにより、各利用者が共通して興味を持てる楽曲を歌唱推奨楽曲とすることができる。これにより、各利用者による選曲の手間を省くことができるとともに、カラオケの楽しさを高めることが可能となる。
【００２３】
例えば、各利用者が携帯情報端末で視聴しており、さらに各利用者の歌唱履歴において演奏頻度が高い楽曲や、演奏頻度が高く得意曲として登録している楽曲を歌唱推奨楽曲として提示した場合には、カラオケに参加するすべての歌唱者が歌唱できる楽曲であるため、カラオケ歌唱を盛り上げることができる。
【００２４】
一方、各利用者が携帯情報端末で視聴しており、さらに各利用者の歌唱履歴において演奏頻度が低い楽曲を歌唱推奨楽曲として提示した場合には、カラオケに参加するすべての歌唱者が知っているが、歌唱しなくなってしまった楽曲や、以前に得意曲として登録を行ったが、上手く歌唱できずに諦めてしまった楽曲等に対して、再度歌唱する機会を作り出すことができる。
【図面の簡単な説明】
【００２５】
【図１】本発明の実施形態に係る歌唱推奨楽曲報知システムの概略構成を示すブロック図。
【図２】歌唱履歴データベースの構成を示す模式図。
【図３】楽曲プレイリストの構成を示す模式図。
【図４】歌唱推奨楽曲の提示手順を示す説明図。
【図５】歌唱推奨楽曲の表示状態を示す模式図。
【発明を実施するための形態】
【００２６】
図面を参照して、本発明の歌唱推奨楽曲報知システムの実施形態について説明する。図１〜図５は本発明の実施形態に係る歌唱推奨楽曲報知システムを説明するもので、図１は歌唱推奨楽曲報知システムの概略構成を示すブロック図、図２は歌唱履歴データベースの構成を示す模式図、図３は楽曲プレイリストの構成を示す模式図、図４は歌唱推奨楽曲の提示手順を示す説明図、図５は歌唱推奨楽曲の表示状態を示す模式図である。
【００２７】
＜歌唱推奨楽曲報知システムの概要＞
本発明の実施形態に係る歌唱推奨楽曲報知システム１００は、図１に示すように、カラオケ演奏装置１０を含むカラオケシステムに組み込まれて機能するシステムであって、利用者ＩＤ取得手段（カードリーダ１２ｅ）と、歌唱履歴記憶管理手段２３０と、楽曲プレイリスト取得手段２４０と、共通楽曲抽出手段２５０と、歌唱推奨楽曲抽出手段２６０と、歌唱推奨楽曲提示制御手段２７とを備えている。本実施形態において、各手段は、カラオケ演奏装置１０又は管理サーバ２００の機能として実現するが、いずれの手段をカラオケ演奏装置１０又は管理サーバ２００の機能として実現するかは、適宜選択することができる。
【００２８】
以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２９】
＜カラオケ演奏装置＞
本発明の実施形態に係る歌唱推奨楽曲報知システム１００を適用するカラオケ演奏装置１０は、図１に示すように、カラオケ本体１１、カラオケリモコン装置１２、マイクロホン１３、スピーカ１４、表示装置１５、ミキシングアンプ１６を備えている。また、カラオケ演奏装置１０は、ルータ５０及びインターネット、専用電話回線、一般電話回線、無線通信回線等のデータ通信回線８０を介して、管理サーバ２００とネットワーク接続されている。
【００３０】
＜管理サーバ＞
管理サーバ２００は、複数のカラオケ演奏装置１０を総合的に管理するためのサーバで、インターネット、専用電話回線、一般電話回線、無線通信回線等のデータ通信回線８０を介して、カラオケ演奏装置１０と接続されている。さらに、管理サーバ２００は、データ通信回線８０及び通信基地局７０を介して、利用者が所持する携帯情報端末６０とデータ通信を行うことができるようになっている。
【００３１】
管理サーバ２００は、図１に示すように、サーバとして機能するための主要な機器として、ＣＰＵ等を含む管理制御手段２１０、通信制御手段２２０、データ記憶手段２７０を備えている。また、本実施形態の管理サーバ２００は、歌唱推奨楽曲報知システム１００を実現するための手段として、歌唱履歴記憶管理手段２３０、楽曲プレイリスト取得手段２４０、共通楽曲抽出手段２５０、歌唱推奨楽曲抽出手段２６０を備えている。
【００３２】
＜歌唱履歴記憶管理手段＞
歌唱履歴記憶管理手段２３０は、各利用者により歌唱された楽曲の楽曲ＩＤと、当該利用者ＩＤとを紐付けした利用者毎の歌唱履歴データを記憶して管理するためのプログラムからなる。すなわち、管理サーバ２００にネットワーク接続された各カラオケ演奏装置１０において、利用者がシステムログインし、当該利用者の利用者ＩＤを付加して選曲予約を行った楽曲が演奏されると、当該楽曲の楽曲ＩＤと、各利用者ＩＤとを紐付けした歌唱履歴データが歌唱履歴データベース２７０ａに登録される。
【００３３】
＜歌唱履歴データベース＞
歌唱履歴データベース２７０ａは、歌唱履歴記憶管理手段２３０により構築して管理されるデータベースであり、図２に示すように、利用者ＩＤ毎に、歌唱した（選曲予約を行って演奏された）楽曲ＩＤと、その演奏回数とが紐付けされている。本実施形態の歌唱履歴データベース２７０ａは、利用者により指定された得意曲識別子を含んでいる。また、図示しないが、歌唱履歴データベース２７０ａは、図２に示すデータの他に、各楽曲の歌唱日（演奏日）、歌唱採点値等のデータを含んでいてもよい。
【００３４】
＜楽曲プレイリスト取得手段＞
楽曲プレイリスト取得手段２４０は、各利用者が所有する携帯情報端末６０に記憶された楽曲データの楽曲ＩＤと当該利用者の利用者ＩＤとを紐付けし、利用者毎の楽曲プレイリスト２７０ｂ、２７０ｃとして取得するためのプログラムからなる。すなわち、楽曲プレイリスト取得手段２４０は、各利用者が所有する携帯情報端末６０にアクセスし、当該携帯情報端末６０に記憶された楽曲データの楽曲ＩＤと、当該携帯情報端末６０の所有者の利用者ＩＤとを紐付けしたデータを、楽曲プレイリスト２７０ｂ、２７０ｃとしてダウンロードさせる。
【００３５】
なお、図１に示す例では、２つの楽曲プレイリスト２７０ｂ、２７０ｃをダウンロードさせてデータ記憶手段２７０に記憶しているが、その数は２つに限られず、各利用者が所有する携帯情報端末６０の数に応じて変化する。この際、携帯情報端末６０の機器ＩＤと、利用者ＩＤとを紐付けした携帯情報端末識別テーブル（図示せず）を用意しておき、携帯情報端末６０の機器ＩＤから利用者ＩＤを特定してもよい。
【００３６】
なお、楽曲プレイリスト２７０ｂ、２７０ｃは、各利用者が所有する携帯情報端末６０からカラオケ演奏装置１０を経由して、管理サーバ２００にデータを送信してもよい。
【００３７】
利用者毎の楽曲プレイリスト２７０ｂ、２７０ｃを取得するタイミングは、例えば、各利用者がシステムログインした時であるが、各利用者による指示入力に基づいて楽曲プレイリスト２７０ｂ、２７０ｃを取得する等、その取得タイミングは特に限定されるものではない。
【００３８】
＜楽曲プレイリスト＞
楽曲プレイリスト２７０ｂ、２７０ｃは、図３に示すように、利用者毎に、利用者ＩＤと、当該利用者の携帯情報端末６０に記憶されている楽曲の楽曲ＩＤとを紐付けしたデータである。図３に示す例では、利用者が所有する携帯情報端末６０の識別ＩＤを含んでいる。なお、楽曲プレイリストには、データとして各楽曲の再生回数を含めてもよい。
【００３９】
＜共通楽曲抽出手段＞
共通楽曲抽出手段２５０は、利用者毎の楽曲プレイリスト２７０ｂ、２７０ｃを参照して、システムログインしたすべての利用者に共通する楽曲ＩＤを抽出するためのプログラムからなる。すなわち、同一のカラオケ演奏装置１０を同時に利用する複数の利用者について、取得した楽曲プレイリスト２７０ｂ、２７０ｃを参照して、共通する楽曲ＩＤを検索して抽出する。
【００４０】
＜歌唱推奨楽曲抽出手段＞
歌唱推奨楽曲抽出手段２６０は、各利用者の歌唱履歴データに含まれる楽曲ＩＤを参照して、共通楽曲抽出手段２５０にて抽出した楽曲ＩＤの中から、所定の条件に基づき、歌唱推奨楽曲を抽出するためのプログラムからなる。所定の条件とは、例えば、歌唱履歴データにおいて、歌唱頻度が所定値以上の楽曲、歌唱頻度が所定値未満の楽曲、得意曲識別子が付加された楽曲とすることができる。なお、歌唱頻度を抽出条件とする場合には、複数の利用者に共通して、所定値以上か所定値未満かを設定し、所定値は、演奏回数により導き出すことができる。また、所定値とは、各楽曲の演奏回数、記憶されているすべての楽曲の演奏回数に対する各楽曲の演奏回数の割合等、どのような値を用いてもよい。
【００４１】
＜データ記憶手段＞
データ記憶手段２７０は、管理サーバ２００において記憶すべきデータを格納するための手段であり、例えばＨＤＤ等により構成される。本実施形態では、データ記憶手段２７０に、歌唱履歴データベース２７０ａ、２つの楽曲プレイリスト２７０ｂ、２７０ｃが記憶されている。
【００４２】
＜カラオケリモコン装置＞
カラオケリモコン装置１２は、ユーザインタフェース機能を備えており、ルータ５０を介して、カラオケ本体１１との間でデータの送受信を行うようになっている。このカラオケリモコン装置１２は、楽曲検索手段１２ａとして機能するプログラム、楽曲索引データベース１２ｂ、種々のデータを記憶するためのデータ記憶部１２ｃ、データの入出力を行うための入出力表示部１２ｄ、利用者ＩＤ取得手段として機能するカードリーダ１２ｅ等を備えている。このカラオケリモコン装置１２に付帯するスイッチ類や、入出力表示部１２ｄに表示される各種のアイコン等を操作することにより、選曲操作等が行われる。
【００４３】
＜楽曲検索手段／楽曲索引データベース＞
楽曲検索手段１２ａは、利用者の指示に基づき、楽曲索引データベース１２ｂを参照して楽曲を検索するためのプログラムからなる。楽曲索引データベース１２ｂは、カラオケ演奏装置１０で演奏に供されるカラオケ楽曲について、その属性情報を記述したデータベースであり、例えば、楽曲番号・曲名・アーティスト名・歌い出し部分の歌詞・流行時期・音楽ジャンル区分・デュエット曲か否かなど、種々の属性情報がこれに含まれている。
【００４４】
＜カードリーダ＞
カードリーダ１２ｅは、利用者ＩＤ取得手段として機能する電子機器及びプログラムからなり、各利用者がシステムログインした際に、各利用者の利用者ＩＤを取得する。すなわち、ＩＤカード４０に記憶された利用者ＩＤをカードリーダ１２ｅにより読み取ることにより、利用者ＩＤを取得することができる。また、カラオケリモコン装置１２の入出力表示部１２ｄを用いて入力された利用者ＩＤ及びパスワードに基づいて、利用者ＩＤを取得してもよい。また、利用者が利用者ＩＤを所有していない場合には、カラオケ演奏装置１０を使用する際に、利用者に対して一時的に利用者ＩＤを付与してもよい。
【００４５】
さらに、携帯情報端末６０の機器ＩＤと利用者ＩＤとを予め紐付けしてデータテーブルとして管理し、利用者が所持する携帯情報端末６０とカラオケ演奏装置１０との間で、管理サーバ２００を介してデータの送受信を行うことにより、カラオケ演奏装置１０にシステムログインして、利用者ＩＤを取得してもよい。
【００４６】
＜マイクロホン＞
マイクロホン１３は、歌唱音声の入力を行うための装置である。マイクロホン１３から入力された歌唱音声信号は、ミキシングアンプ１６により、音楽再生制御手段２８から送出される演奏音声信号とミキシングされると共に増幅され、スピーカ１４へ出力される。また、図示しないが、マイクロホン１３からの音声入力信号をＡ／Ｄコンバータによりデジタル変換し、歌唱採点手段における歌唱採点等に使用してもよい。
【００４７】
＜表示装置＞
表示装置１５は、カラオケ楽曲に関連した背景映像や歌詞テロップ等を表示するための装置で、例えば、液晶ディスプレイ等により構成される。
【００４８】
＜カラオケ本体＞
カラオケ本体１１は、中央制御手段２１、ＲＯＭ２２、ＲＡＭ２３、ＨＤＤ２４、送受信手段２５、予約楽曲管理手段２６、歌唱推奨楽曲提示制御手段２７、音楽再生制御手段２８、映像再生制御手段２９を備えている。
【００４９】
＜中央制御手段＞
中央制御手段２１は、カラオケ本体１１を総合的に制御するための手段であり、例えばＣＰＵ及びその周辺機器により構成されており、ＣＰＵ等がＲＯＭ２２等に記憶されたプログラムに従って動作することにより、制御機能を発揮することができるようになっている。
【００５０】
＜ＲＯＭ／ＲＡＭ＞
ＲＯＭ２２は、カラオケ本体１１を構成する各機器を制御するためのプログラムデータや数値データを記憶するための機器で、例えば半導体メモリ等で構成される。また、ＲＡＭ２３は、プログラムや各種データを一時的に記憶する一時記憶領域として機能するもので、例えば半導体メモリ等で構成される。本実施形態では、ＲＡＭ２３に、予約楽曲管理テーブル２３ａが記憶されている。
【００５１】
＜ＨＤＤ＞
ＨＤＤ２４は、大容量記憶装置として機能するもので、楽曲データベース２４ａ、映像データベース２４ｂが格納されている。なお、ＨＤＤ２４に替えて、あるいはＨＤＤ２４と共に、データを書き替え可能なＤＶＤ等の大容量記憶手段を用いてもよい。
【００５２】
＜楽曲データベース／映像データベース＞
楽曲データベース２４ａは、演奏制御データ（ＭＩＤＩ規格のデータ）及び歌詞描出データが同期されて構成される演奏データについて、楽曲ＩＤと対応付けてそれぞれ構成されたデータベースである。演奏制御データは、各楽曲の演奏を制御するためのデジタルデータであり、歌詞描出データは演奏に同期した歌詞文字の表示タイミングデータ及び色変わりデータを含んでいる。映像データベース２４ｂは、演奏されるカラオケ楽曲に対応した背景映像を、当該カラオケ楽曲の楽曲ＩＤに対応させた映像ファイルとして所定数格納したデータベースである。
【００５３】
＜送受信手段＞
送受信手段２５は、カラオケ本体１１とルータ５０との間におけるデータの送受信を行うための電子機器及びプログラムからなる。
【００５４】
＜予約楽曲管理手段＞
予約楽曲管理手段２６は、任意の利用者がカラオケ楽曲の予約を行う際に、当該利用者の利用者ＩＤと予約楽曲の楽曲ＩＤとを紐付けして、予約楽曲管理テーブル２３ａにて管理するためのプログラムからなる。すなわち、予約楽曲管理手段２６は予約楽曲管理テーブル２３ａを作成し、この予約楽曲管理テーブル２３ａをＲＡＭ２３に格納して管理する。
【００５５】
＜予約楽曲管理テーブル＞
予約楽曲管理テーブル２３ａは、利用者により楽曲検索手段１２ａの機能を用いて選曲された楽曲ＩＤを演奏順に並べて作成したテーブルである。上述したように、予約者を特定して選曲予約を行う場合には、予約楽曲管理テーブル２３ａにおいて、楽曲ＩＤと、選曲者の利用者ＩＤとが紐付けされる。
【００５６】
＜歌唱推奨楽曲提示制御手段＞
歌唱推奨楽曲提示制御手段２７は、抽出した歌唱推奨楽曲の提示制御を行うためのプログラムからなる。例えば、同一のカラオケ演奏装置１０に同時にシステムログインした複数の利用者が携帯情報端末６０にて共通して鑑賞している楽曲であり、かつ、カラオケ演奏装置１０にて歌唱した回数が１０回以上の楽曲が歌唱推奨楽曲であるとされた場合に、図５に示すように、歌唱推奨楽曲に関する情報を、カラオケリモコン装置１２の入出力表示部１２ｄの選曲画面に表示する。なお、歌唱推奨楽曲の提示は、表示画面への表示だけではなく、音声による報知等、利用者が認識することができれば、どのような態様であってもよい。
【００５７】
＜歌唱推奨楽曲の提示＞
図４を参照して、本実施形態の歌唱推奨楽曲報知システム１００により、歌唱推奨楽曲を提示する手順を説明する。複数の利用者（利用者１、利用者２）が同一のカラオケ演奏装置１０にそれぞれシステムログインすると（Ｓ１、Ｓ２）、楽曲プレイリスト取得手段２４０の機能により、各利用者が所有する携帯情報端末６０に記憶された楽曲データの楽曲ＩＤと各利用者の利用者ＩＤとを紐付けし、利用者毎の楽曲プレイリストとして取得する（Ｓ３、Ｓ４）。
【００５８】
そして、共通楽曲抽出手段２５０の機能により、システムログインした各利用者（利用者１及び利用者２）の楽曲プレイリスト２７０ｂ、２７０ｃを参照して、利用者１及び利用者２に共通する楽曲ＩＤを抽出する（Ｓ５）。例えば、利用者１及び利用者２の楽曲プレイリスト２７０ｂ、２７０ｃにおいて、「楽曲Ａ」、「楽曲Ｂ」、「楽曲Ｃ」が共通して記憶されていたとすると、「楽曲Ａ」、「楽曲Ｂ」、「楽曲Ｃ」を共通楽曲として抽出する。
【００５９】
続いて、歌唱推奨楽曲抽出手段２６０の機能により、各利用者（利用者１及び利用者２）の歌唱履歴データを参照（取得）して（Ｓ６、Ｓ７）、抽出した楽曲ＩＤの中から、所定の条件に基づき、歌唱推奨楽曲を抽出する（Ｓ８）。
【００６０】
ここで、利用者１の歌唱履歴データにおいて「楽曲Ａ」の歌唱回数が２回、「楽曲Ｂ」の歌唱回数が４回、「楽曲Ｃ」の歌唱回数が１５回であったとする。一方、利用者２の歌唱履歴データにおいて「楽曲Ａ」の歌唱回数が１回、「楽曲Ｂ」の歌唱回数が６回、「楽曲Ｃ」の歌唱回数が１０回であったとする。さらに、利用者１の歌唱履歴では、楽曲「Ｃ」に得意曲識別子が設定されており、利用者２の歌唱履歴では、楽曲「Ｃ」に得意曲識別子が設定されていたとする。また、抽出条件となる所定値は、例えば１０回以上、あるいは１回以上３回未満のいずれか一方に設定されていたとする。
【００６１】
この場合、利用者１及び利用者２に共通する楽曲は、「楽曲Ａ」、「楽曲Ｂ」、「楽曲Ｃ」の３曲であり、両者に共通して歌唱頻度が所定値以上の楽曲は「楽曲Ｃ」であり、両者に共通して演奏頻度が所定値未満の楽曲は「楽曲Ａ」である。また、両者に共通して得意曲識別子が設定されている楽曲は「楽曲Ｃ」である。
【００６２】
したがって、歌唱推奨楽曲を抽出する所定の条件として、歌唱回数が１０回以上であることが抽出条件の場合には、「楽曲Ｃ」が抽出される（Ｓ８）。また、図示しないが、歌唱回数が３回未満であることが抽出条件の場合には、「楽曲Ａ」が抽出され、得意曲識別子が設定されていることが抽出条件の場合には、「楽曲Ｃ」が抽出される。
【００６３】
抽出された楽曲は、上述したように、カラオケリモコン装置１２の入出力表示部１２ｄの選曲画面に表示（提示）される（Ｓ９）。なお、表示タイミングは、特に限定されるものではないが、少なくとも二人目の利用者が、カラオケ演奏装置１０にシステムログインした直後や所定時間（例えば３０分）経過後、また、前曲の演奏終了後から所定時間（例えば３分）経過し、次曲の予約が登録されていない時等とすることが好ましい。これにより、同時に同一のカラオケ演奏装置１０にシステムログインしている利用者が、共通の楽曲を知って一緒に歌唱したり、歌い忘れていた楽曲を歌唱したりすることができる。なお、抽出された歌唱推奨楽曲のうち、当該システムログイン中に既に予約あるいは歌唱されている楽曲については、提示しないような構成としてもよい。
【００６４】
＜音楽再生制御手段＞
音楽再生制御手段２８は、楽曲ＩＤに基づいて演奏データから抽出された演奏制御データに基づいて、音源データをデジタル再生するとともにアナログ変換してミキシングアンプ１６に出力するための電子回路である。また、ミキシングアンプ１６は、マイクロホン１３から入力された歌唱者の歌唱音声信号と、音楽再生制御手段２８から送出される演奏音声信号とをミキシングすると共に、アンプ機能により増幅してスピーカ１４より出力するための装置である。
【００６５】
＜映像再生制御手段＞
映像再生制御手段２９は、カラオケ楽曲の演奏中に、映像データベース２４ｂから抽出した背景映像データと、演奏データに含まれる歌詞描出データに基づいて作成される歌詞文字とを、当該カラオケ楽曲の演奏データに同期させて表示装置１５に出力する。
【００６６】
＜他の実施形態＞
本発明のシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００６７】
１００  歌唱推奨楽曲報知システム
１０  カラオケ演奏装置
１１  カラオケ本体
１２  カラオケリモコン装置
１２ａ  楽曲検索手段
１２ｂ  楽曲索引データベース
１２ｃ  データ記憶部
１２ｄ  入出力表示部
１２ｅ  カードリーダ
１３  マイクロホン
１４  スピーカ
１５  表示装置
１６  ミキシングアンプ
２１  中央制御手段
２２  ＲＯＭ
２３  ＲＡＭ
２３ａ  予約楽曲管理テーブル
２４  ＨＤＤ
２４ａ  楽曲データベース
２４ｂ  映像データベース
２５  送受信手段
２６  予約楽曲管理手段
２７  歌唱推奨楽曲提示制御手段
２８  音楽再生制御手段
２９  映像再生制御手段
４０  ＩＤカード
５０  ルータ
６０  携帯情報端末
７０  通信基地局
８０  データ通信回線
２００  管理サーバ
２１０  管理制御手段
２２０  通信制御手段
２３０  歌唱履歴記憶管理手段
２４０  楽曲プレイリスト取得手段
２５０  共通楽曲抽出手段
２６０  歌唱推奨楽曲抽出手段
２７０  データ記憶手段
２７０ａ  歌唱履歴データベース
２７０ｂ、２７０ｃ  楽曲プレイリスト
【図１】
2015210343.tif 000003
【図２】
2015210343.tif 000004
【図３】
2015210343.tif 000005
【図４】
2015210343.tif 000006
【図５】
2015210343.tif 000007